(57)【要約】【課題】本発明は、ユーザがパラメータ情報をどこからでも容易に設定することができる電話関連機器のパラメータ設定方法を提供することを目的とする。【解決手段】本発明の電話関連機器のパラメータ設定方法は、クライアント端末から広域ネットワークを介してウェブサーバにアクセスし、該ウェブサーバからパラメータ設定用のウェブページを受信してパラメータ情報を入力し、該パラメータ情報がウェブサーバに送信されたときには、該ウェブサーバがパラメータ情報広域ネットワークを経由してＣＴＩサーバに送信し、該ＣＴＩサーバがＤＴＭＦ信号またはモデム信号によりパラメータ情報を公衆電話回線で接続された電話関連機器のモデムに送信し、該電話関連機器が該パラメータ情報に基づいて設定することを特徴とする。【選択図】　図１
2004120532.tif 000002
【特許請求の範囲】
【請求項１】
クライアント端末から広域ネットワークを介してウェブサーバにアクセスし、該ウェブサーバからパラメータ設定用のウェブページを受信してパラメータ情報を入力し、前記ウェブサーバが該パラメータ情報を受信すると、該ウェブサーバが前記パラメータ情報を広域ネットワークを経由してＣＴＩサーバに送信し、該ＣＴＩサーバがＤＴＭＦ信号またはモデム信号により前記パラメータ情報を公衆電話回線で接続された電話関連機器のモデムに送信し、該電話関連機器が該パラメータ情報に基づいて設定を行うことを特徴とする電話関連機器のパラメータ設定方法。
【請求項２】
クライアント端末から広域ネットワークを介してウェブサーバにアクセスし、該ウェブサーバからパラメータ設定用のウェブページを受信して設定するパラメータ情報を入力し、前記ウェブサーバがパラメータ情報を受信した後、電話関連機器から設定パラメータ送信要求がＣＴＩサーバに送信されたときには、該設定パラメータ送信要求を前記ウェブサーバに送り、前記ウェブサーバが前記パラメータ情報を広域ネットワークを経由してＣＴＩサーバに送信すると、該ＣＴＩサーバがＤＴＭＦ信号またはモデム信号により前記パラメータ情報を公衆電話回線で接続された電話関連機器のモデムに送信し、該電話関連機器が該パラメータ情報に基づいて設定を行うことを特徴とする電話関連機器のパラメータ設定方法。
【請求項３】
電話関連機器から設定パラメータ送信要求がＣＴＩサーバに送信されたときには、前記ＣＴＩサーバが公衆電話回線の発呼者番号通知で得た発呼者番号を設定パラメータ送信要求と共に前記ウェブサーバに送信することを特徴とする請求項２記載の電話関連機器のパラメータ設定方法。
【請求項４】
クライアント端末から広域ネットワークを介してウェブサーバにアクセスし、該ウェブサーバから登録設定用ウェブページを受信して登録情報を入力し、該登録情報を前記ウェブサーバに送信することを特徴とする請求項１記載の電話関連機器のパラメータ設定方法。
【請求項５】
クライアント端末から広域ネットワークを介してウェブサーバにアクセスし、該ウェブサーバからパラメータ設定用のウェブページを受信してパラメータ情報を確認するための入力を行ったときには、前記ウェブサーバが前記ＣＴＩサーバを介して前記電話関連機器にパラメータ情報の変更を問い合わせ、変更内容をウェブページで前記クライアント端末に送信することを特徴とする請求項４記載の電話関連機器のパラメータ設定方法。
【請求項６】
前記ウェブサーバが前記パラメータ情報を電子メールでＳＭＴＰサーバに送信し、該ＳＭＴＰサーバが前記電子メールをＣＴＩサーバに送信することを特徴とする請求項１〜５のいずれかに記載の電話関連機器のパラメータ設定方法。
【請求項７】
前記電話関連機器がファクシミリ装置であることを特徴とする請求項１〜６のいずれかに記載の電話関連機器のパラメータ設定方法。
【請求項８】
前記登録情報が格納された場合には、前記ウェブサーバと前記電話関連機器には認証情報が格納され、該認証情報ごとに前記登録情報が管理されることを特徴とする請求項４〜７のいずれかに記載の電話関連機器のパラメータ設定方法。
【請求項９】
公衆電話回線に接続されて通信する回線インタフェース部と、
モデム信号とデータとの変換を行うモデム部若しくはＤＴＭＦ信号とデータとの変換を行うＤＴＭＦ送受信部の少なくともいずれか一方の通信手段と、
入力手段の操作により入力されたパラメータ送信要求をＣＴＩサーバへ送信するために該パラメータ送信要求のデータを前記通信手段へ入力するとともに、前記公衆電話回線からパラメータ情報が送られてきたとき、前記通信手段から出力されたパラメータ情報を解析するパラメータ設定通信手段と、
前記パラメータ設定通信手段から出力されたパラメータ情報を記憶部に格納するパラメータ制御手段とを備え、
制御部が、該パラメータ情報に従ってサービス機能の設定を行うことを特徴とする電話関連機器。
【請求項１０】
前記パラメータ設定通信手段は、さらに前記入力手段から入力されたパラメータ情報を前記通信手段に出力することを特徴とする請求項９記載の電話関連機器。
【請求項１１】
前記記憶部に認証情報が格納され、ウェブサーバとの通信時には該認証情報を送信することを特徴とする請求項９または１０に記載の電話関連機器。
【請求項１２】
請求項９〜１１のいずれかに記載の電話関連機器が、前記モデム部としてＦＡＸモデムを備えたファクシミリ装置であることを特徴とする電話関連機器。
【請求項１３】
電話関連機器のパラメータ設定を行うための設定用ウェブページを格納したウェブページ格納部と、
電話関連機器ごとのパラメータ情報を格納したパラメータ記憶部と、
クライアント端末からの要求で前記設定用ウェブページを送信するとともに、該ウェブページにおいてパラメータ情報が入力されたときには、ウェブページにこれを反映し、該パラメータ情報を前記パラメータ記憶部に格納するウェブサーバ手段と、
前記パラメータ情報が入力されたときには、該パラメータ情報をＣＴＩサーバに送信する通知手段を備えたことを特徴とするウェブサーバ。
【請求項１４】
前記ウェブページ格納部に登録情報を入力するための登録設定用ウェブページを格納し、
クライアント端末からの要求で前記登録設定用ウェブページを送信し、前記登録情報を受信してパラメータ記憶部に格納することを特徴とする請求項１３記載のウェブサーバ。
【請求項１５】
前記ウェブサーバと前記ファクシミリ装置には認証情報が格納され、該認証情報で認証を行う認証手段を備えたことを特徴とする請求項１４記載のウェブサーバ。
【請求項１６】
前記通知手段がＳＭＴＰで電子メールを送るメール手段であることを特徴とする請求項１３〜１５のいずれかに記載のウェブサーバ。
【請求項１７】
前記電話関連機器がファクシミリ装置であることを特徴とする請求項１３〜１６のいずれかに記載のウェブサーバ。
【請求項１８】
ウェブサーバから受信したメール形式のパラメータ情報を電話関連機器で受信可能なＤＴＭＦ信号またはモデム信号に変換する変換部を備えたことを特徴とするＣＴＩサーバ。
【発明の詳細な説明】
【０００１】
【発明の属する技術分野】
本発明は、ネットワークから各種設定を行うことができる電話関連機器のパラメータ設定方法、ネットワークから各種機能のパラメータ設定が行えるファクシミリ装置を代表とする電話関連機器、ウェブページを送信してクライアント端末から電話関連機器のパラメータ設定が行えるウェブサーバに関する。
【０００２】
【従来の技術】
通信といえばアナログ電話であった二、三十年前の時代から、最近の通信技術は社会を一変させている。デジタル技術と移動体通信技術、ネットワーク技術の普及により、音声だけでなく画像や音楽その他のデータを大量且つ迅速、きわめて容易に通信できるようになり、インターネットに代表されるネットワーク上の多様なサーバが提供するサービスをクライアント端末、例えばパソコンや携帯電話で自由に享受できるようになってきている。
【０００３】
しかし、キーボード中心で入力を行うパソコンや携帯電話は、家庭や個人からの情報発信を電子メール中心にしてしまう傾向があり、発信が少なく、受信過多になっているのが現状である。扱い慣れない人も多い。こうした中、ファクシミリ装置は、誰でも扱えるデータ通信機器として家庭内に既に定着し、手書きした情報を簡単にデータ化して情報発信できるものである。最近ではインターネットと接続しているものも多く、誰でも扱える情報発信、情報収集のツールとして期待が集まっている。
【０００４】
ところで、ファクシミリ装置の基本的な操作は、ダイヤルして話す、原稿を読みとって送信するというだけで、きわめて容易であるが、多くの搭載機能を発揮させるための操作や、登録や設定の作業はなかなか難しい。そして遠隔地から登録や設定はできないものであった。そこで、従来、遠隔地から宛先情報の登録変更や追加登録が行えるファクシミリ装置が提案された（特許文献１参照）。
【０００５】
このファクシミリ装置は、回線を通して送られてくるＤＴＭＦ信号を受信して、これを４ビットのデジタルコードに変換し、このデジタルコードと予め定めてある命令コードからデジタルコードの解析を行い、宛先情報の登録であると知り、継続して受信したＤＴＭＦ信号から宛先情報を示す数値情報を得て、記憶部に格納するものである。
【０００６】
しかし、（特許文献１）のファクシミリ装置は、宛先情報の登録に関するＤＴＭＦ信号が送られてきた後の処理を開示するだけであり、このＤＴＭＦ信号をどのようにして送信するのかについては開示していない。ＤＴＭＦ信号を送信するときの操作が面倒で分かり辛いものであれば、（特許文献１）のファクシミリ装置は登録や設定作業時の操作性の困難を解決したことにはならない。
【０００７】
【特許文献１】
特開平１−１２９６４２号公報（第２−３頁、第１，２図）
【０００８】
【発明が解決しようとする課題】
以上説明したように、ファクシミリ装置の多様な機能を発揮させるための操作や、登録，設定の作業は、慣れていない人間にとって非常に難しいものである。しかも遠隔地からの登録や設定はできないものであった。
【０００９】
（特許文献１）のファクシミリ装置は、この問題を解決し、遠隔地から宛先情報の登録を可能にするというものであったが、単にＤＴＭＦ信号を使って操作するというものにすぎず、操作側がＤＴＭＦ信号をどのようにして送信するのかについては開示していない。ファクシミリ装置の登録や設定に慣れない人が、遠隔地で、ＤＴＭＦ信号を送信するために悪戦苦闘するのでは、登録や設定作業時の操作性の困難を解決したことにはならない。
【００１０】
さらに、ファクシミリ装置の所有者自身は登録や設定を行わず、仮に専門家の力を借りて登録や設定を行うとしても、専門家が直接このファクシミリ装置のところへ行って操作するしかなく、専門家にとっても非常に煩わしいことである。
【００１１】
そこで、本発明は、ユーザがパラメータ情報をどこからでも容易に設定することができる電話関連機器のパラメータ設定方法を提供することを目的とする。
【００１２】
また本発明は、ネットワークから入力されたパラメータ情報で容易に各種機能の設定をすることができる電話関連機器を提供することを目的とする。
【００１３】
さらに本発明は、どこからでもパラメータ設定が容易に行え、これを電話関連機器に送信できるウェブサーバを提供することを目的とする。
【００１４】
そして、本発明は、どこからでもパラメータ設定が容易に行え、これを電話関連機器に送信できるＣＴＩサーバを提供することを目的とする。
【００１５】
【課題を解決するための手段】
上記課題を解決するために本発明の電話関連機器のパラメータ設定方法は、クライアント端末から広域ネットワークを介してウェブサーバにアクセスし、該ウェブサーバからパラメータ設定用のウェブページを受信してパラメータ情報を入力し、ウェブサーバが該パラメータ情報を受信すると、該ウェブサーバがパラメータ情報を広域ネットワークを経由してＣＴＩサーバに送信し、該ＣＴＩサーバがＤＴＭＦ信号またはモデム信号によりパラメータ情報を公衆電話回線で接続された電話関連機器のモデムに送信し、該電話関連機器が該パラメータ情報に基づいて設定を行うことを特徴とする。
【００１６】
これにより、ユーザがパラメータ情報をどこからでも容易に設定することができる。
【００１７】
【発明の実施の形態】
上記課題を解決するためになされた第１の発明は、クライアント端末から広域ネットワークを介してウェブサーバにアクセスし、該ウェブサーバからパラメータ設定用のウェブページを受信してパラメータ情報を入力し、ウェブサーバが該パラメータ情報を受信すると、該ウェブサーバがパラメータ情報を広域ネットワークを経由してＣＴＩサーバに送信し、該ＣＴＩサーバがＤＴＭＦ信号またはモデム信号によりパラメータ情報を公衆電話回線で接続された電話関連機器のモデムに送信し、該電話関連機器が該パラメータ情報に基づいて設定を行うことを特徴とする電話関連機器のパラメータ設定方法であり、クライアント端末からパラメータ設定用のウェブページを受信してパラメータ情報を入力するので、電話関連機器に直接入力するよりも容易に且つどこからでも入力でき、ＨＴＭＬ等で記載されたパラメータ情報がＤＴＭＦ信号またはモデム信号に変換され、電話関連機器が自動でパラメータ設定を行うことができる。
【００１８】
第２の発明は、クライアント端末から広域ネットワークを介してウェブサーバにアクセスし、該ウェブサーバからパラメータ設定用のウェブページを受信して設定するパラメータ情報を入力し、ウェブサーバが該パラメータ情報を受信した後、電話関連機器から設定パラメータ送信要求がＣＴＩサーバに送信されたときには、該設定パラメータ送信要求をウェブサーバに送り、ウェブサーバがパラメータ情報を広域ネットワークを経由してＣＴＩサーバに送信すると、該ＣＴＩサーバがＤＴＭＦ信号またはモデム信号によりパラメータ情報を公衆電話回線で接続された電話関連機器のモデムに送信し、該電話関連機器が該パラメータ情報に基づいて設定を行うことを特徴とする電話関連機器のパラメータ設定方法であり、クライアント端末からパラメータ設定用のウェブページを受信してパラメータ情報を入力するので、容易に且つどこからでも入力でき、電話関連機器から設定パラメータ送信要求することによりパラメータ情報をダウンロードするため、認証情報が格納されていないときでも容易にユーザ認証ができる。
【００１９】
第３の発明は、電話関連機器から設定パラメータ送信要求がＣＴＩサーバに送信されたときには、ＣＴＩサーバが公衆電話回線の発呼者番号通知で得た発呼者番号を設定パラメータ送信要求と共にウェブサーバに送信することを特徴とする請求項２記載の電話関連機器のパラメータ設定方法であり、発呼者番号通知から発呼者番号を取り出すのでファクシミリ装置の負担が軽くなり、発呼者番号で電話関連機器のパラメータ情報を抽出でき、認証情報が格納されていないときでも電話番号で容易に簡易な認証ができる。また、ウェブサーバに誤った電話番号に入力した場合でも、サーバ側から誤った電話番号に発信することを防止することができる。
【００２０】
第４の発明は、クライアント端末から広域ネットワークを介してウェブサーバにアクセスし、該ウェブサーバから登録設定用ウェブページを受信して登録情報を入力し、該登録情報をウェブサーバに送信することを特徴とする請求項１記載の電話関連機器のパラメータ設定方法であり、登録設定用ウェブページを使用することでウェブサーバに容易にユーザ登録することができる。
【００２１】
第５の発明は、クライアント端末から広域ネットワークを介してウェブサーバにアクセスし、該ウェブサーバからパラメータ設定用のウェブページを受信してパラメータ情報を確認するための入力を行ったときには、ウェブサーバがＣＴＩサーバを介して電話関連機器にパラメータ情報の変更を問い合わせ、変更内容をウェブページでクライアント端末に送信することを特徴とする請求項４記載の電話関連機器のパラメータ設定方法であり、ユーザ登録されている場合に、ウェブページからパラメータ情報を確認する入力が行え、ファクシミリ装置に別途パラメータ設定があったときの変更内容を容易に知ることができる。また、ユーザがパラメータを追加若しくは更新する際、電話関連機器のパラメータの最新の情報を知ることができるので、設定されているにもかかわらず、再度入力する労力を低減させることができる。
【００２２】
第６の発明は、ウェブサーバがパラメータ情報を電子メールでＳＭＴＰサーバに送信し、該ＳＭＴＰサーバが電子メールをＣＴＩサーバに送信することを特徴とする請求項１〜５のいずれかに記載の電話関連機器のパラメータ設定方法であり、電子メールを利用してウェブサーバからＣＴＩサーバにパラメータ情報を送信できる。
【００２３】
第７の発明は、電話関連機器がファクシミリ装置であることを特徴とする請求項１〜６のいずれかに記載の電話関連機器のパラメータ設定方法であり、各種機能の設定が慣れない者にとっては難しく、且つデータ通信機器として既に定着しているファクシミリ装置のパラメータ設定作業をネットワーク上で行え、容易に設定が可能になる。
【００２４】
第８の発明は、登録情報が格納された場合には、ウェブサーバと電話関連機器には認証情報が格納され、該認証情報ごとに登録情報が管理されることを特徴とする請求項４〜７のいずれかに記載の電話関連機器のパラメータ設定方法であり、ウェブサーバに登録情報が登録された場合には、この登録情報に対して認証情報が関係付けられ、電話関連機器からウェブサーバにアクセスしたときには登録情報を間違いなく管理できる。
【００２５】
第９の発明は、公衆電話回線に接続されて通信する回線インタフェース部と、モデム信号とデータとの変換を行うモデム部ＤＴＭＦ信号とデータとの変換を行うＤＴＭＦ送受信部の少なくともいずれか一方の通信手段と、入力手段の操作により入力されたパラメータ送信要求をＣＴＩサーバへ送信するために該パラメータ送信要求のデータを前記通信手段へ入力するとともに、公衆電話回線からモデム信号でパラメータ情報が送られてきたとき、通信手段から出力されたパラメータ情報を解析するパラメータ設定通信手段と、パラメータ設定通信手段から出力されたパラメータ情報を記憶部に格納するパラメータ制御手段とを備え、制御部が、該パラメータ情報に従ってサービス機能の設定を行うことを特徴とする電話関連機器であり、パラメータ設定が必要な際に、入力手段への所定操作により、サーバに対してパラメータ情報を要求することができ、またサーバから送信されるパラメータ情報に従って容易に電話関連機器のサービス機能の設定を行うことができる。
【００２６】
第１０の発明は、パラメータ設定通信手段は、さらに前記入力手段から入力されたパラメータ情報をモデム部もしくはＤＴＭＦ送受信部に送信することを特徴とする請求項９記載の電話関連機器であり、電話関連機器に記憶されているパラメータ情報をサーバに発信することができるから、例えばサーバを使用せずに電話関連機器の入力手段により設定した場合にでも、サーバに変更後の情報を送信することが可能となる。
【００２７】
第１１の発明は、記憶部に認証情報が格納され、ウェブサーバとの通信時には該認証情報を送信することを特徴とする請求項９または１０に記載の電話関連機器であり、認証情報で認証することにより、電話関連機器からウェブサーバにアクセスしたときには登録情報を間違いなく管理できる。
【００２８】
第１２の発明は、請求項９〜１１のいずれかに記載の電話関連機器が、モデム部としてＦＡＸモデムを備えたファクシミリ装置であることを特徴とする電話関連機器であり、各種機能の設定が慣れない者にとっては難しく、且つデータ通信機器として既に定着しているファクシミリ装置のパラメータ設定作業をネットワーク上で行え、容易に設定が可能になる。
【００２９】
第１３の発明は、電話関連機器のパラメータ設定を行うための設定用ウェブページを格納したウェブページ格納部と、電話関連機器ごとのパラメータ情報を格納したパラメータ記憶部と、クライアント端末からの要求で設定用ウェブページを送信するとともに、該ウェブページにおいてパラメータ情報が入力されたときには、ウェブページにこれを反映し、該パラメータ情報をパラメータ記憶部に格納するウェブサーバ手段と、パラメータ情報が入力されたときには、該パラメータ情報をＣＴＩサーバに送信する通知手段を備えたことを特徴とするウェブサーバであり、クライアント端末からパラメータ設定用のウェブページを受信してパラメータ情報を入力するので、容易に且つどこからでも入力でき、ＨＴＭＬ等で記載されたパラメータ情報がＣＴＩサーバに送信され、電話関連機器が自動でパラメータ設定を行うことができる。
【００３０】
第１４の発明は、ウェブページ格納部に登録情報を入力するための登録設定用ウェブページを格納し、クライアント端末からの要求で登録設定用ウェブページを送信し、登録情報を受信してパラメータ記憶部に格納することを特徴とする請求項１３記載のウェブサーバであり、登録設定用ウェブページを使用することでウェブサーバに容易にユーザ登録することができる。
【００３１】
第１５の発明は、ウェブサーバと電話関連機器には認証情報が格納され、該認証情報で認証を行う認証手段を備えたことを特徴とする請求項１４記載のウェブサーバであり、認証情報で認証することにより、電話関連機器からウェブサーバにアクセスしたときには登録情報を間違いなく管理できる。
【００３２】
第１６の発明は、通知手段がＳＭＴＰで電子メールを送るメール手段であることを特徴とする請求項１３〜１５のいずれかに記載のウェブサーバであり、電子メールを利用してウェブサーバからＣＴＩサーバにパラメータ情報を送信できる。
【００３３】
第１７の発明は、電話関連機器がファクシミリ装置であることを特徴とする請求項１３〜１６のいずれかに記載のウェブサーバであり、各種機能の設定が慣れない者にとっては難しく、且つデータ通信機器として既に定着しているファクシミリ装置のパラメータ設定作業をネットワーク上で行え、容易に設定が可能になる。
【００３４】
第１８の発明は、ウェブサーバから受信したメール形式のパラメータ情報を電話関連機器で受信可能なＤＴＭＦ信号またはモデム信号に変換する変換部を備えたことを特徴とするＣＴＩサーバであり、メール形式のパラメータ情報を電話関連機器で受信可能に変換できる。
【００３５】
以下、本発明の実施の形態について、図１〜図１０を用いて説明する。
【００３６】
（実施の形態１）
図１は本発明の実施の形態１におけるファクシミリ設定システムの全体構成図、図２は本発明の実施の形態１におけるファクシミリ装置の構成図である。
【００３７】
図１において、１はプロトコルＴＣＰ／ＩＰで送受信を行うインターネット（本発明の広域ネットワーク）、２は発呼者番号通知サービスを提供可能な公衆電話回線（ＰＳＴＮ）、３は電話関連機器の１つであるファクシミリ装置（ＦＡＸ）、４はインターネット１上のサーバからパラメータ設定サービスを受けることができるパソコン等のクライアント端末である。なお、本実施の形態１はファクシミリ設定システムであって、ファクシミリ装置３のパラメータ設定を対象とするが、本発明は以下説明するようにファクシミリ装置に限られない。本発明は、公衆電話回線２を介して接続されてモデムやＤＴＭＦ送受信器を備えた電話関連機器であればパラメータ設定可能である。クライアント端末４はパソコン等の他に携帯電話でもよい。
【００３８】
５はインターネット１に接続されクライアント端末４からの要求でウェブページを送信することができるウェブサーバ、６はプロトコルＳＭＴＰで電子メールを送受信するＳＭＴＰサーバ、７はインターネット１と公衆電話回線２に接続され、ファクシミリ通信と電子メールを統合するＣＴＩサーバである。なお、ＳＭＴＰサーバ６は、実施の形態１のファクシミリ設定システムがウェブサーバ５とＣＴＩサーバ７との間をＳＭＴＰによって電子メールで送受信する構成をとっており、またクライアント端末４が利用するＳＭＴＰサーバ６を共用するために設けられたものである。従って、ウェブサーバ５とＣＴＩサーバ７間の通信を他の通信方法により行い、またクライント端末が電子メールを利用しないような場合には、このＳＭＴＰサーバは不要である。携帯電話からウェブサーバが５に接続してパラメータ設定サービスを受ける場合には、ウェブページはコンパクトＨＴＭＬで記載され、パソコン等のＨＴＭＬで記載れさたウェブページとはディレクトリを替えて管理する必要がある。
【００３９】
実施の形態１のファクシミリ設定システムにおいては、ファクシミリ装置３のパラメータ設定を行うためのクライアント端末４が設けられており、ウェブサーバ５のウェブページ上で設定を行い、これをＳＭＴＰサーバ６、ＣＴＩサーバ７を利用することによってファクシミリ装置３に送って設定を行っている。
【００４０】
続いて、このファクシミリ設定システムのファクシミリ装置３の構成について説明する。図２において、１１は公衆電話回線２と接続されて通信制御を行うインタフェース、１１ａは電話回線の接続制御を行う回線インタフェース部、１１ｂはファクシミリ送受信するＦＡＸモデム部、１１ｃはＤＴＭＦ信号の送受信を行うＤＴＭＦ送受信部である。
【００４１】
１２は音声回路を備えハンドセット（図示しない）のスピーカとマイクから音声を入出力する音声入出力部、１３はＣＣＤ等で原稿を読み取りファクシミリ送信可能なＭＲ／ＭＨ形式でデータ出力を行うスキャナ部、１４はＬＣＤ等のディスプレイに表示を行う表示手段、１５はＦＡＸモデム部１１ｂから出力されたデータを印刷する印刷部、１６はテンキーやファンクションキー，送信ボタン等その他のボタン、及びこれらのボタンからの入力をコードデータに変換する入力手段、１７は着信したとき自動応答して音声蓄積部（図示しない）に録音する留守番電話機能を実行する留守録部である。
【００４２】
１８はファクシミリ装置３全体の制御を行う制御部、１９は記憶部、１９ａは制御プログラム記憶部、１９ｂはファクシミリ装置３が動作するときの各種機能の設定パラメータ（本発明のパラメータ情報）を設定するパラメータ記憶部である。制御部１８は制御プログラム記憶部１９ａから制御プログラムを読み出して中央処理装置により実行する機能実現手段として構成される。２０は、入力手段１６の操作により入力されたパラメータ送信要求をＣＴＩサーバ７へ送信するために、パラメータ送信要求のデータをＤＴＭＦ送受信部１１ｃもしくはＦＡＸモデム部１１ｂへ入力するとともに、ファクシミリ装置３がＤＴＭＦ信号またはモデム信号で設定パラメータを受信したとき、この設定パラメータを解析し、さらに入力手段から入力されたパラメータ情報をＤＴＭＦ送受信部１１ｃもしくはＦＡＸモデム部１１ｂへ出力するパラメータ設定通信手段である。２１は、コードデータ化された設定パラメータをパラメータ記憶部１９ｂに記憶したり、パラメータ記憶部１９ｂから設定パラメータを取り出して設定パラメータ設定通信手段に出力するパラメータ設定制御手段である。このパラメータ設定通信手段２０、パラメータ設定制御手段２１、さらに留守録部１７の実行手段も、制御プログラム記憶部１９ａから制御プログラムを読み出して中央処理装置により実行する機能実現手段として構成される。
【００４３】
このファクシミリ装置３は、クライアント端末４によってウェブサーバ５で設定されたパラメータがＣＴＩサーバ７からファクシミリ装置３の電話番号宛てにＤＴＭＦ信号またはその他のモデム信号で送られるため、これをパラメータ設定通信手段２０で取り出し、パラメータ設定制御手段２１によってパラメータ記憶部１９ｂに記憶する。
【００４４】
次に、ファクシミリ設定システムのウェブサーバ５の構成について説明する。図３は本発明の実施の形態１におけるウェブサーバの構成図である。図３において、３１はインターネット１との通信制御を行うネットワークインタフェース部、３２はプロトコルｈｔｔｐでウェブページを送信するウェブサーバ手段、３２ａはＳＭＴＰで電子メールの処理を行うメール手段（本発明の通知手段）、３３はＲＡＭ、３４はウェブサーバ５の記憶部、３４ａはウェブサーバ５から送信するＨＴＭＬ等のウェブページを格納したウェブページ格納部、３４ｂはファクシミリ装置３が動作するときの設定パラメータを記憶したパラメータ記憶部である。３５はパラメータ設定を行うときユーザ認証を行う認証手段である。このようにウェブサーバ５は、実施の形態１のファクシミリ設定システムにおいては、クライアント端末４からのアクセスでパラメータ設定を行う。また、ウェブサーバ５はこの設定パラメータを電子メールでＳＭＴＰサーバ６に送信する。
【００４５】
さらに、ＣＴＩサーバ７の構成について説明する。図４は本発明の実施の形態１におけるＣＴＩサーバの構成図である。図４において、４１はインターネット１との通信制御を行うネットワーク通信手段、４２は公衆電話回線２との通信制御を行う電話網通信手段、４３はファクシミリ通信とＳＭＴＰ通信、ｈｔｔｐ通信を統合してフォーマット変換を行うことができる変換手段、４４はＲＡＭ、４５はＲＯＭ、４６はＣＴＩサーバ７の制御部である。
【００４６】
ウェブサーバ５が設定パラメータを電子メールでＳＭＴＰサーバ６に送信すると、ＳＭＴＰサーバ６はファクシミリ装置３の電話番号宛てに電子メールを送信する。ＣＴＩサーバ７はこの電子メールをＤＴＭＦ信号またはその他のモデム信号に変換して送信するものである。
【００４７】
図５はＣＴＩサーバとファクシミリ装置間の制御コマンドの構成図である。図５において、５０は制御コマンドの開始を示すフラグ、５１は制御コマンドの内容を示す「設定パラメータ送信要求」「設定パラメータ受信要求」「情報送信」「情報受信」等の制御情報を記述する制御情報部、５２は設定機能情報、５３は設定機能の設定パラメータ、５４は制御コマンドの終了を示すフラグである。設定機能情報５２には、例えばワンタッチダイヤルを設定する旨の情報をセットし、設定パラメータ５３にはワンタッチダイヤルの電話番号をセットする。
【００４８】
そこで、以下、実施の形態１のファクシミリ設定システムで設定を行うときの動作のシーケンスについて説明する。第１の設定のシーケンスは、正規登録がなされていない状態でクライアント端末からウェブサーバ５にアクセスしてパラメータ設定する場合である。図６は本発明の実施の形態１におけるファクシミリ設定システムで設定を行うときの第１の設定のシーケンス図、図９は本発明の実施の形態１におけるユーザ設定パラメータの一覧図、図１０は本発明の実施の形態１におけるユーザ設定画面図である。図６に示すように、クライアント端末４からウェブサーバにアクセスして設定用ウェブページを要求すると（Ｓ１）、ウェブサーバ５から図１０に示すような設定用ウェブページを送信する（Ｓ２）。クライアント端末４ではこれに設定パラメータを書き込んでウェブサーバ５に送信する（Ｓ３）。
【００４９】
設定用ウェブページの設定画面には、入力者を特定するための「氏名」「住所」「クレジット番号」等を記入し、さらに図９に示すようにユーザ設定パラメータとして、「機種名」「電話番号」「回線種別」「ワンタッチダイヤル」「留守着信呼び出し回数」「用件転送」「ナンバーディスプレイ」「非通知着信拒否」「着信音」「無鳴動受信」「電話帳」等が入力できる。ウェブサーバ５はこの設定パラメータをパラメータ記憶部３４ｂに格納する。なおこのとき、設定用ウェブページの設定画面で複数のファクシミリ装置３のユーザ設定パラメータを同時に入力可能にし、同一設定（グループ設定）することもできる。さらに、設定用ウェブページの設定画面は、機種ごとにワンタッチダイヤルやその他の機能が異なるため、機種単位で用意するのが好適である。そして機種変更のウェブページを設けておけば、変更後の機種に合わせた内容のデータを送ることができるし、交換後の新機種ではサポートされていない機能を一覧で表示することもできる。
【００５０】
その後ある時点で、ファクシミリ装置３からユーザが設定ボタンを押し下げると（Ｓ４）、設定パラメータ送信要求である旨の情報を制御情報部５１内に収めた制御コマンドがＤＴＭＦ信号で公衆電話回線２を経由してＣＴＩサーバ７に発信される（Ｓ５）。このときＨＤＬＣ類似の伝送手順で送信される。なお、このときＤＴＭＦ信号に代えてその他のモデム信号で送ることもできる。
【００５１】
ＣＴＩサーバ７は、ＤＴＭＦ形式の設定パラメータ送信要求を受信するとともに、公衆電話回線２を経由するとき発呼者番号（ナンバーディスプレイ）を付加され受信する。ＣＴＩサーバ７はこの設定パラメータ送信要求と発呼者番号をＤＴＭＦ形式からメール形式に変換してこの電子メールをＳＭＴＰサーバ６に送信する（Ｓ６）。ＳＭＴＰサーバ６はこの電子メールをウェブサーバ５に送信する（Ｓ７）。
【００５２】
ウェブサーバ５はこの設定パラメータ送信要求と発呼者番号を受信すると、制御部３６はパラメータ記憶部３４ｂに記憶された設定パラメータの中からシーケンスＳ３で設定された同一の電話番号を読み出し（Ｓ８）、同一の電話番号があった場合は、この発呼者番号宛てに設定パラメータをＣＴＩサーバ７に送信要求するために、ＳＭＴＰサーバ６にこの送信要求をＳＭＴＰサーバ６に送信し（Ｓ９）、ＳＭＴＰサーバ６はこれをＣＴＩサーバ７に送信する。
【００５３】
ＣＴＩサーバ７は電子メール形式で送られてきた設定パラメータの送信要求に基づいて、これをＤＴＭＦ形式の設定パラメータ受信要求に変換する。すなわちＣＴＩサーバ７は制御情報部５１に設定パラメータ受信要求、設定機能情報５２に設定パラメータの機能、設定パラメータ５３にこの設定パラメータを収め、ＤＴＭＦ形式の設定パラメータ受信要求を発呼者番号宛てに設定する機能毎に制御コマンドを生成し送信する（Ｓ１０）。このときＨＤＬＣ類似の電送手順で送信される。
【００５４】
設定パラメータ受信要求を受信したファクシミリ装置３は、パラメータ設定通信手段２０が、設定パラメータをコードデータに変換し、コードデータ化された設定パラメータをパラメータ設定制御手段２１パラメータ記憶部１９ｂに記憶してパラメータが更新される（Ｓ１１）。
【００５５】
以上説明した第１の設定のシーケンスは、未登録のユーザがいわば試用期間内に設定するものである。このような試用期間の設定はユーザが不慣れであったり、いろいろ試したりすることを考慮すると、数回、例えば３回はこのような入力設定を可能にするのがよい。このような２回目以降の再設定を行うときには、１回目の通信でファクシミリ装置の電話番号と設定画面から入力した電話番号とが一致し、且つ入力された氏名、住所、クレジット番号からファクシミリ装置とユーザの対応が既についているから、Ｓ４〜Ｓ７を省略し、ウェブページからの入力で直ちにパラメータを送信するのが好適である。
【００５６】
なお、クレジット番号の入力がない場合には、Ｓ４〜Ｓ７を省略しないようにし、さらに一つの電話番号に対し３回までの設定シーケンスしかしないようにするようにするようにしてもよい。
【００５７】
続いて、第２の設定のシーケンスについて説明する。第２の設定のシーケンスは、正規登録がなされた後のクライアント端末からウェブサーバ５にアクセスしてパラメータ設定する場合である。図７は本発明の実施の形態１におけるファクシミリ設定システムで設定を行うときの第２の設定のシーケンス図である。図７において、クライアント端末４からウェブサーバにアクセスして登録用ウェブページを要求すると（Ｓ２１）、ウェブサーバ５から登録用ウェブページを送信する（Ｓ２２）。クライアント端末４ではこれに登録情報を書き込んでウェブサーバ５に送信する（Ｓ２３）。登録用ウェブページの設定画面には、入力者を特定するための「氏名」「住所」「クレジット番号」「暗証番号」等を記入し、さらに図９に示すような初期値のユーザ設定パラメータが入力できる。ウェブサーバ５はこの設定パラメータをパラメータ記憶部３４ｂに格納する。
【００５８】
この後図示はしないが、ウェブサーバ５は、内部の乱数発生器等とユーザ情報を利用し、ファクシミリ装置３との間で固有の認証情報を生成する。この認証情報はパラメータ記憶部３４ｂに格納されるとともに、ウェブサーバ５からＣＴＩサーバ７に送信し、ＣＴＩサーバ７からファクシミリ装置３に送信され、パラメータ記憶部１９ｂに格納される。これ以降ウェブサーバ５は、ファクシミリ装置３からのアクセスに対して、この認証情報で認証手段３５により認証を行う。なお、図示はしないが、Ｓ２３の後に発呼者番号の確認のため、第１の設定のシーケンスＳ１〜Ｓ１１の動作を行うのが好適である。
【００５９】
次いで、クライアント端末４からウェブサーバ５にアクセスして設定用ウェブページを要求し（Ｓ２４）、ウェブサーバ５から設定用ウェブページを送信する（Ｓ２５）。クライアント端末４では設定用ウェブページに設定画面確認ボタンが表示されており、ユーザがこれを押下げると（Ｓ２６）、この時点までにファクシミリ装置３側で別途設定がなされているか否かの問い合わせをＳＭＴＰサーバ６へ送信し（Ｓ２７）、ＣＴＩサーバ７はこれをＤＴＭＦ形式で問い合わせる（Ｓ２８）。
【００６０】
ファクシミリ装置３は設定パラメータに変更がなされていればこの変更内容を送信する（Ｓ２９）。なお、ファクシミリ装置３は、設定パラメータの変更履歴を記憶部１９に有し、ウェブサーバ５から設定されたものなのか、入力手段１６からの入力により設定されたものなのかの区別も変更履歴として保持しているため、設定パラメータがウェブサーバ５からの設定後、さらに入力手段１６からの入力による設定があった場合には、その変更内容のみを送信するようにしてもよく、また変更後の設定パラメータすべてを送信するようにしてもよい。
【００６１】
ＣＴＩサーバ７はこれをメール形式でウェブサーバ５に送信し（Ｓ３０）、ウェブサーバ５は変更内容を設定用ウェブページに反映してクライアント端末３に送信する（Ｓ３１）。この設定用ウェブページに設定パラメータを書き込み、ウェブサーバ５に送信する（Ｓ３２）。ウェブサーバ５はこの設定パラメータをパラメータ記憶部３４ｂに格納する。Ｓ２６で確認ボタンの押下がない場合も、直ちにＳ３２に進んでウェブサーバ５に送信する。
【００６２】
ウェブサーバ５は、変更内容を織り込んだ設定パラメータをパラメータ記憶部３４ｂから取り出して、その設定パラメータを反映させた更新用ウェブページをクライアント端末４に送信する。なお、設定更新用ウェブページは、図９のように現状の設定内容を表示し、さらにその表示内容をクライアント端末４から変更可能に構成されている。この設定更新用ウェブページでの設定パラメータを変更して、更新ボタンを押下した場合、ウェブサーバ５は登録された電話番号宛てに変更した設定パラメータをＣＴＩサーバ７に対して送信要求する（Ｓ３３）。この送信要求をＳＭＴＰサーバ６に送信し（Ｓ３３）、ＳＭＴＰサーバ６はこれをＣＴＩサーバ７に送信する。ＣＴＩサーバ７はこれをＤＴＭＦ形式の設定パラメータ受信要求に変換し、ファクシミリ装置３に送信する（Ｓ３４）。
【００６３】
設定パラメータ受信要求を受信したファクシミリ装置３は、パラメータ設定通信手段２０が、設定パラメータをコードデータに変換し、コードデータ化された設定パラメータをパラメータ設定制御手段２１パラメータ記憶部１９ｂに記憶して設定パラメータが更新される（Ｓ３５）。
【００６４】
次に、第３の設定のシーケンスについて説明する。第３の設定のシーケンスは、正規登録がなされた後にファクシミリ装置３で設定パラメータの更新を行ってウェブサーバ５に通知する場合である。図８は本発明の実施の形態１におけるファクシミリ設定システムで設定を行うときの第３の設定のシーケンス図である。第３の設定のシーケンスの場合、ファクシミリ装置３で行った設定パラメータの更新をウェブサーバ５に送信するか否かをユーザが選択することが可能である。
【００６５】
第２の設定のシーケンスのＳ２１〜Ｓ２３、次に第１の設定のシーケンスのＳ１〜Ｓ１１の動作が行われた後、ある時点にＤユーザが設定パラメータの変更内容をウェブサーバ５に送信する場合、図８に示すように、ファクシミリ装置３からユーザが設定ボタンを押し下げると（Ｓ４１）、変更内容の設定パラメータ送信要求が認証データとともにＤＴＭＦ信号で公衆電話回線２を経由してＣＴＩサーバ７に発信される（Ｓ４２）。このときＨＤＬＣ類似の電送手順で送信される。
【００６６】
ＣＴＩサーバ７は、ＤＴＭＦ形式の設定パラメータ送信要求を受信するとともに、公衆電話回線２を経由するとき発呼者番号（ナンバーディスプレイ）を付加されこれを受信する。ＣＴＩサーバ７はこの設定パラメータ送信要求と認証情報、発呼者番号をＤＴＭＦ形式からメール形式に変換してこの電子メールをＳＭＴＰサーバ６に送信する（Ｓ４３）。ＳＭＴＰサーバ６はこの電子メールをウェブサーバ５に送信する（Ｓ４４）。
【００６７】
ウェブサーバ５はこの設定パラメータ送信要求と発呼者番号を受信すると、認証手段３５が認証情報によって認証を行い、制御部３６は認証情報で管理された登録情報をパラメータ記憶部３４ｂから読み出し、受信した変更内容に更新する（Ｓ４５）。その後、第１の設定のシーケンスのＳ１〜Ｓ３と同じ動作が行われてパラメータ設定が行われると、ウェブサーバ５は登録された電話番号宛てに設定パラメータをＣＴＩサーバ７に送信する（Ｓ４６）。ＳＭＴＰサーバ６にこの送信要求をＳＭＴＰサーバ６に送信し（Ｓ４７）、ＳＭＴＰサーバ６はこれをＣＴＩサーバ７に送信する。ＣＴＩサーバ７は、これをＤＴＭＦ形式の設定パラメータ受信要求を発呼者番号宛てに送信する（Ｓ４８）。
【００６８】
設定パラメータ受信要求を受信したファクシミリ装置３は、パラメータ設定通信手段２０が、設定パラメータをコードデータに変換し、制御部１８がコードデータ化された設定パラメータを表示手段１４によってディスプレイ上に表示する。ファクシミリ装置３から送った設定パラメータと、受信した設定パラメータを比較して相違があった場合、更新するか否かを行って確定する。この確定により、コードデータ化された設定パラメータはパラメータ設定制御手段２１はパラメータ記憶部１９ｂに記憶する（Ｓ４９）。従って、どのようなパラメータが設定されたか利用者が確認してから実際にパラメータ記憶部１９ｂに記憶できるから、利用者によって安心であるし、ウェブページ上で間違った設定をしてもその設定をファクシミリ装置に設定しなようにすることができる。なお、送信された設定パラメータを表示させずに、直接パラメータ記憶部１９ｂに反映させるモードを設け、利用者により選択可能にしてもよい。
【００６９】
以上説明したように、実施の形態１におけるファクシミリ設定システムは、設定パラメータをインターネット１のどこのクライアント端末４からでも設定することができる。
【００７０】
【発明の効果】
本発明の電話関連機器のパラメータ設定方法によれば、クライアント端末からパラメータ設定用のウェブページを受信してパラメータ情報を入力するので、電話関連機器に直接入力するよりも容易に且つどこからでも入力でき、ＨＴＭＬ等で記載されたパラメータ情報がＤＴＭＦ信号またはモデム信号に変換され、電話関連機器が自動でパラメータ設定を行うことができる。
【００７１】
クライアント端末からパラメータ設定用のウェブページを受信してパラメータ情報を入力するので、容易に且つどこからでも入力でき、電話関連機器から設定パラメータ送信要求することによりパラメータ情報をダウンロードするため、認証情報が格納されていないときでも容易にユーザ認証ができる。そして発呼者番号通知から発呼者番号を取り出すのでファクシミリ装置の負担が軽くなり、発呼者番号で電話関連機器のパラメータ情報を抽出でき、認証情報が格納されていないときでも電話番号で容易に簡易な認証ができる。
【００７２】
また、登録設定用ウェブページを使用することでウェブサーバに容易にユーザ登録することができる。ユーザ登録されている場合に、ウェブページからパラメータ情報を確認する入力が行え、ファクシミリ装置に別途パラメータ設定があったときの変更内容を容易に知ることができる。そして電子メールを利用してウェブサーバからＣＴＩサーバにパラメータ情報を送信できる。
【００７３】
各種機能の設定が慣れない者にとっては難しく、且つデータ通信機器として既に定着しているファクシミリ装置のパラメータ設定作業をネットワーク上で行え、容易に設定が可能になる。ウェブサーバに登録情報が登録された場合には、この登録情報に対して認証情報が関係付けられ、電話関連機器からウェブサーバにアクセスしたときには登録情報を間違いなく管理できる。
【００７４】
本発明の電話関連機器によれば、モデム信号またはＤＴＭＦ信号を使ってパラメータ情報を送信し、パラメータ情報に従って容易に制御部が電話関連機器のサービス機能の設定を行うことができる。ウェブサーバとの通信時には認証情報を送信するから、電話関連機器からウェブサーバにアクセスしたときには登録情報を間違いなく管理できる。
【００７５】
本発明のウェブサーバは、クライアント端末からパラメータ設定用のウェブページを受信してパラメータ情報を入力するので、容易に且つどこからでも入力でき、ＨＴＭＬ等で記載されたパラメータ情報がＣＴＩサーバに送信され、電話関連機器が自動でパラメータ設定を行うことができる。登録設定用ウェブページを使用することでウェブサーバに容易にユーザ登録することができる。電話関連機器からウェブサーバにアクセスしたときには登録情報を間違いなく管理できる。
【００７６】
本発明のＣＴＩサーバによれば、広域ネットワークから入力したパラメータ情報がメール形式となり、このメール形式のパラメータ情報を電話関連機器で受信可能に変換できる。
【図面の簡単な説明】
【図１】本発明の実施の形態１におけるファクシミリ設定システムの全体構成図
【図２】本発明の実施の形態１におけるファクシミリ装置の構成図
【図３】本発明の実施の形態１におけるウェブサーバの構成図
【図４】本発明の実施の形態１におけるＣＴＩサーバの構成図
【図５】ＣＴＩサーバとファクシミリ装置間の制御コマンドの構成図
【図６】本発明の実施の形態１におけるファクシミリ設定システムで設定を行うときの第１の設定のシーケンス図
【図７】本発明の実施の形態１におけるファクシミリ設定システムで設定を行うときの第２の設定のシーケンス図
【図８】本発明の実施の形態１におけるファクシミリ設定システムで設定を行うときの第３の設定のシーケンス図
【図９】本発明の実施の形態１におけるユーザ設定パラメータの一覧図
【図１０】本発明の実施の形態１におけるユーザ設定画面図
【符号の説明】
１　インターネット
２　公衆電話回線（ＰＳＴＮ）
３　ファクシミリ装置（ＦＡＸ）
４　クライアント端末
５　ウェブサーバ
６　ＳＭＴＰサーバ
７　ＣＴＩサーバ
１１　インタフェース
１１ａ　回線インタフェース部
１１ｂ　ＦＡＸモデム部
１１ｃ　ＤＴＭＦ送受信部
１２　音声入出力部
１３　スキャナ部
１４　表示手段
１５　印刷部
１６　入力手段
１７　留守録部
１８，４６　制御部
１９，３４　記憶部
１９ａ　制御プログラム記憶部
１９ｂ　パラメータ記憶部
２０　パラメータ設定通信手段
２１　パラメータ設定制御手段
３１　ネットワークインタフェース部
３２　ウェブサーバ手段
３２ａ　メール手段
３３，４４　ＲＡＭ
３４ａ　ウェブページ格納部
３４ｂ　パラメータ記憶部
３５　認証手段
４１　ネットワーク通信手段
４２　電話網通信手段
４３　変換手段
４５　ＲＯＭ
５０，５４　フラグ
５１　制御情報部
５２　設定機能情報
５３　設定パラメータ
【図１】
2004120532.tif 000003
【図２】
2004120532.tif 000004
【図３】
2004120532.tif 000005
【図４】
2004120532.tif 000006
【図５】
2004120532.tif 000007
【図６】
2004120532.tif 000008
【図７】
2004120532.tif 000009
【図８】
2004120532.tif 000010
【図９】
2004120532.tif 000011
【図１０】
2004120532.tif 000012